(57)【要約】【課題】軽量で高強度かつ高剛性のフロアパネルを提供すること。【解決手段】平板部２０の裏面側に複数のリブ３０が一体的に形成される。第４リブ４０及び第１リブ３３により四方が囲まれる最小単位の第１矩形部２４、及び、第４リブ４０及び第２リブ３４により四方が囲まれる最小単位の第２矩形部２５は、第４リブ４０により四方が囲まれる最小単位の第３矩形部より２辺が長く設定される。第１枠部３１と第１リブ３３との間隔および第２枠部３２と第２リブ３４との間隔を第４リブ４０間の間隔より近づけられるので、リブ３０を厚くしなくても、平板部２０の辺中央の強度および剛性を大きくできる。【選択図】図１
2016044508.tif 000002
【特許請求の範囲】
【請求項１】
正方形の板状に形成された平板部と、その平板部の裏面側に一体的に形成された複数のリブとを備え、
そのリブは、前記平板部の対向する２辺に配置される２枚の第１枠部と、
その２枚の第１枠部の長手方向端部にそれぞれ連結されると共に前記平板部の対向する他の２辺に配置される２枚の第２枠部と、
前記２枚の第１枠部の内側に配置される２枚の第１リブと、
その２枚の第１リブの長手方向端部にそれぞれ連結されると共に前記２枚の第２枠部の内側に配置される２枚の第２リブと、
その２枚の第２リブ同士と前記２枚の第１リブ同士とを互いに連結して十字状に配置されると共に、前記平板部の裏面を面積が同じ四角形状の４つの第１領域に区画する複数の第３リブと、
その複数の第３リブにより区画された前記４つの第１領域に格子状に配置される複数の第４リブとを備え、
前記第１リブ及び３枚の第４リブにより四方が囲まれる最小単位の第１矩形部、及び、前記第２リブ及び３枚の第４リブ及びにより四方が囲まれる最小単位の第２矩形部は、４枚の第４リブにより四方が囲まれる最小単位の第３矩形部より２辺が長く設定されることを特徴とするフロアパネル。
【請求項２】
前記複数の第３リブは、互いに平行に配置される一対のリブを一組として二組のリブが配置されるものであり、その二組のリブが互いに直角に交差して十字状に配置されていることを特徴とする請求項１記載のフロアパネル。
【請求項３】
前記リブは、前記第１枠部、前記第２枠部、前記第１リブ、前記第２リブ、前記第３リブ及び前記第４リブより高さが低く設定される複数の第５リブを備え、
その複数の第５リブは、前記２枚の第１枠部に対して平行に設けられると共に前記２枚の第２リブを互いに連結するリブであり、
前記複数の第３リブの内の一組のリブの間であって前記平板部の中心を通る中心リブと、
その中心リブ及び前記２枚の第１枠部に対して平行に配置されると共に前記第２矩形部および前記第３矩形部に等間隔に配置される第１平行リブと、
その第１平行リブに対して平行に配置されると共に前記第１矩形部に配置される第２平行リブとを備え、
その第２平行リブは、前記第１平行リブ間の間隔より広い間隔に前記第１リブとの間隔が設定されていることを特徴とする請求項２記載のフロアパネル。
【請求項４】
前記リブは、前記第１矩形部、前記第２矩形部および前記第３矩形部を区画するリブの他は前記第１矩形部、前記第２矩形部および前記第３矩形部に前記第５リブのみが配置されていることを特徴とする請求項３記載のフロアパネル。
【請求項５】
前記第１枠部、前記第２枠部、前記第１リブ及び前記第２リブは、長手方向中央の厚さが、長手方向端部の厚さより厚く設定されていることを特徴とする請求項１から４のいずれかに記載のフロアパネル。
【請求項６】
前記複数の第３リブは、前記第１枠部、前記第２枠部、前記第１リブ及び前記第２リブと同一の高さに設定され、前記第１リブ及び前記第２リブの長手方向中央の厚さより薄く設定されていることを特徴とする請求項５記載のフロアパネル。
【請求項７】
前記複数の第４リブは、前記４つの第１領域をそれぞれ四角形状の４つの第２領域に区画する主リブと、
前記第２領域をそれぞれ四角形状の４つの第３領域に区画する副リブとを備え、
その副リブは、高さが、前記主リブより低く、且つ、前記第５リブより高く設定されていることを特徴とする請求項３，４，６のいずれかに記載のフロアパネル。
【請求項８】
前記第３領域は、前記第１矩形部、前記第２矩形部および前記第３矩形部とそれぞれ同一の領域であることを特徴とする請求項７記載のフロアパネル。
【請求項９】
第１枠部は、複数箇所に第１枠部より高く形成された台部を備えていることを特徴とする請求項６記載のフロアパネル。
【請求項１０】
前記第１矩形部および前記第２矩形部は、底面視して長方形であり、前記第３矩形部は、底面視して正方形であることを特徴とする請求項１から４のいずれかに記載のフロアパネル。
【発明の詳細な説明】
【技術分野】
【０００１】
本発明はフリーアクセスフロアを形成するフロアパネルに関するものである。
【背景技術】
【０００２】
クリーンルームや電算機室等に敷設されるフリーアクセスフロアを形成するフロアパネルは、強度や剛性を確保するため、正方形の板状に形成された平板部の裏面側に複数のリブが一体的に形成されている（特許文献１）。
【先行技術文献】
【特許文献】
【０００３】
【特許文献１】特開２０１０−６５４８１号公報
【発明の概要】
【発明が解決しようとする課題】
【０００４】
しかしながら上記従来の技術では、リブの数を増やしたりリブを厚くしたりすると、強度や剛性を大きくできる一方で質量が増大し、リブの数を減らしたりリブを薄くしたりすると、軽量にできる一方で強度や剛性が低下するという問題がある。
【０００５】
本発明は上述した問題を解決するためになされたものであり、軽量で高強度かつ高剛性のフロアパネルを提供することを目的とする。
【課題を解決するための手段および発明の効果】
【０００６】
この目的を達成するために請求項１記載のフロアパネルによれば、正方形の板状に形成された平板部の裏面側に複数のリブが一体的に形成される。リブは、平板部の対向する２辺に配置される２枚の第１枠部と、２枚の第１枠部の長手方向端部にそれぞれ連結されると共に平板部の対向する他の２辺に配置される２枚の第２枠部とを備えている。２枚の第１枠部の内側に２枚の第１リブが配置され、２枚の第２リブが、２枚の第１リブの長手方向端部にそれぞれ連結されると共に２枚の第２枠部の内側に配置される。２枚の第２リブ同士と２枚の第１リブ同士とを互いに連結する複数の第３リブが十字状に配置されることで、平板部の裏面が、面積が同じ四角形状の４つの第１領域に区画される。複数の第３リブにより区画された４つの第１領域に複数の第４リブが格子状に配置される。第１リブ及び３枚の第４リブにより四方が囲まれる最小単位の第１矩形部、及び、第２リブ及び３枚の第４リブにより四方が囲まれる最小単位の第２矩形部は、４枚の第４リブにより四方が囲まれる最小単位の第３矩形部より２辺が長く設定される。その結果、第１枠部と第１リブとの間隔および第２枠部と第２リブとの間隔を、第４リブ間の間隔より近づけることができる。そうすることによって、第１枠部、第２枠部、第１リブ及び第２リブの厚さを厚くしなくても、第１枠部と第１リブとの間隔および第２枠部と第２リブとの間隔を第４リブ間の間隔と同じにする場合と比較して、平板部の辺中央の強度および剛性を大きくできる。よって、軽量で高強度かつ高剛性にできる効果がある。
【０００７】
請求項２記載のフロアパネルによれば、複数の第３リブは、互いに平行に配置される一対のリブを一組として二組のリブが配置されるものであり、その二組のリブが互いに直角に交差して十字状に配置されている。その結果、第３リブの厚さを厚くしなくても、平板部の面中央の強度および剛性を大きくできる。従って、請求項１の効果に加え、軽量で高強度かつ高剛性にできる効果がある。
【０００８】
請求項３記載のフロアパネルによれば、リブは、第１枠部、第２枠部、第１リブ、第２リブ、第３リブ及び第４リブより高さが低く設定される複数の第５リブを備え、複数の第５リブは、２枚の第１枠部に対して平行に設けられると共に２枚の第２リブを互いに連結する。第５リブは、複数の第３リブの内の一組のリブの間であって平板部の中心を通る中心リブと、中心リブ及び２枚の第１枠部に対して平行に配置されると共に第２矩形部および第３矩形部に等間隔に配置される第１平行リブとを備えている。その結果、第５リブによって、第２矩形部および第３矩形部が位置する平板部の強度や剛性を確保できる。
【０００９】
また、第１平行リブに対して平行に配置される第２平行リブが第１矩形部に配置され、第２平行リブは、第１平行リブ間の間隔より広い間隔に第１リブとの間隔が設定されている。その結果、第２平行リブと第１リブとが共同して、第１矩形部の強度や剛性を確保できる。第５リブは、第１枠部等と比較して高さが低く設定されているので、請求項２の効果に加え、第１矩形部、第２矩形部および第３矩形部の強度および剛性を確保しつつ第５リブによる質量の増加を抑制できる効果がある。
【００１０】
請求項４記載のフロアパネルによれば、リブは、第１矩形部、第２矩形部および第３矩形部を区画するリブの他は第１矩形部、第２矩形部および第３矩形部に第５リブのみが配置されている。よって、請求項３の効果に加え、第５リブによって第１矩形部、第２矩形部および第３矩形部の強度および剛性を確保しつつ質量の増加を抑制できる効果がある。
【００１１】
請求項５記載のフロアパネルによれば、第１枠部、第２枠部、第１リブ及び第２リブは、長手方向中央の厚さが、長手方向端部の厚さより厚く設定されている。よって、請求項１から４のいずれかの効果に加え、平板部の辺中央の強度および剛性を大きくできる効果がある。
【００１２】
請求項６記載のフロアパネルによれば、複数の第３リブは、第１枠部、第２枠部、第１リブ及び第２リブと同一の高さに設定されているので、第３リブによって平板部の面中央の強度および剛性を確保できる。また、複数の第３リブは、第１リブ及び第２リブの長手方向中央の厚さより薄く設定されているので、第３リブによる質量の増加を抑制できる。よって、請求項５の効果に加え、第３リブによって平板部の面中央の強度および剛性を確保しつつ質量の増加を抑制できる効果がある。
【００１３】
請求項７記載のフロアパネルによれば、複数の第４リブは、４つの第１領域をそれぞれ四角形状の４つの第２領域に区画する主リブと、第２領域をそれぞれ四角形状の４つの第３領域に区画する副リブとを備えている。よって、請求項３，４，６のいずれかの効果に加え、主リブ及び副リブによって第１領域の強度および剛性を確保できる効果がある。さらに、副リブは、高さが、主リブより低く、且つ、第５リブより高く設定されているので、副リブによる質量の増加を抑制できる効果がある。
【００１４】
請求項８記載のフロアパネルによれば、第３領域は、第１矩形部、第２矩形部および第３矩形部とそれぞれ同一の領域であるので、リブの数が必要以上に増えることを防止できる。よって、請求項７の効果に加え、リブの数の増加による質量の増加を抑制できる効果がある。
【００１５】
請求項９記載のフロアパネルによれば、第１枠部は、複数箇所に第１枠部より高く形成された台部を備えている。その結果、第１枠部、第２枠部、第１リブ、第２リブ及び第３リブが互いに同一の高さに設定されていても、請求項６の効果に加え、台部によって複数枚のフロアパネルを安定に積み重ねられる効果がある。
【００１６】
請求項１０記載のフロアパネルによれば、第１矩形部および第２矩形部は、底面視して長方形であり、第３矩形部は、底面視して正方形である。よって、請求項１から４のいずれかの効果に加え、リブの配置を単純化できる効果がある。
【図面の簡単な説明】
【００１７】
【図１】本発明の第１実施の形態におけるフロアパネルの底面図である。
【図２】図１の矢印ＩＩ−ＩＩ線におけるフロアパネルの断面図である。
【図３】第２実施の形態におけるフロアパネルの底面図である。
【発明を実施するための形態】
【００１８】
以下、本発明の好ましい実施の形態について添付図面を参照して説明する。図１は本発明の第１実施の形態におけるフロアパネル１０の底面図であり、図２は図１の矢印ＩＩ−ＩＩ線におけるフロアパネル１０の断面図である。
【００１９】
図１に示すようにフロアパネル１０は、アルミニウム合金製やマグネシウム合金製の鋳造製品であり、ダイカストにより製造される。フロアパネル１０は、１辺が４５０〜６００ｍｍ程度の正方形の板状に形成された平板部２０と、その平板部２０の裏面側に一体的に形成された複数のリブ３０とを備えている。フロアパネル１０は、平板部２０の裏面に根太（図示せず）や支持脚（図示せず）を設けることにより、平板部２０によってクリーンルームや電算機室などに床面が形成される。
【００２０】
リブ３０は、平板部２０の外周に配置される第１枠部３１及び第２枠部３２と、第１枠部３１及び第２枠部３２の内側にそれぞれ配置される第１リブ３３及び第２リブ３４と、第１リブ３３及び第２リブ３４を連結して十字状に配置される第３リブ３５と、第３リブ３５により４つに区画された第１領域２１に配置される第４リブ４０と、第１枠部３１に平行に配置される第５リブ５０とを備えている。
【００２１】
第１枠部３１は、平板部２０の対向する２辺のほぼ全長に亘って配置される２枚のリブである。第２枠部３２は、２枚の第１枠部３１の長手方向端部にそれぞれ連結されると共に、平板部２０の対向する他の２辺のほぼ全長に亘って配置される２枚のリブである。第１枠部３１及び第２枠部３２は、高さが、互いに同一の高さに設定されており、厚さが、長手方向端部から長手方向中央に向かうにつれて次第に厚くなるように設定されている。第１枠部３１は、第１枠部３１より１ｍｍ程度高く形成された台部３６が、複数箇所に形成されている。台部３６は、リブ３０同士を向い合せて複数のフロアパネル１０を積み重ねるときに、相手側のフロアパネル１０の台部３６に接触する箇所である。
【００２２】
第１リブ３３は、第１枠部３１の内側に第１枠部３１に対して平行に配置されるリブであり、第２リブ３４は、第２枠部３２の内側に第２枠部３２に対して平行に配置されるリブである。第１リブ３３及び第２リブ３４は、高さが、第１枠部３１及び第２枠部３２と同一、且つ、互いに同一の高さに設定されており（図２参照）、厚さが、長手方向端部から長手方向中央に向かうにつれて次第に厚くなるように設定されている。第１枠部３１、第２枠部３２、第１リブ３３及び第２リブ３４は、長手方向中央の厚さが、長手方向端部の厚さより厚く設定されているので、平板部２０の辺中央の強度（最大荷重）および剛性を大きくできる。
【００２３】
第３リブ３５は、第１リブ３３同士と第２リブ３４同士とを互いに連結して十字状に配置される複数のリブである。第３リブ３５は、第１リブ３３及び第２リブ３４のそれぞれ長手方向中央に端部が接続されるので、平板部２０の裏面を面積が同じ四角形状の４つの第１領域２１に区画する。第３リブ３５により平板部２０の面中央の強度（最大荷重）および剛性を大きくできる。
【００２４】
本実施の形態では、第３リブ３５は、互いに平行に配置される一対のリブを一組として二組のリブが配置されるものであり、その二組のリブが互いに直角に交差して十字状に配置されている。よって、第３リブ３５の厚さを厚くしなくても、平板部２０の面中央の最大荷重を大きくできる。従って、フロアパネル１０を軽量で高強度かつ高剛性にできる。
【００２５】
また、第３リブ３５は、第２枠部３２、第１リブ３３及び第２リブ３４と同一の高さに設定されており（図２参照）、第１枠部３１とも同じ高さに設定されている。よって、第３リブ３５によって平板部２０の面中央の強度や剛性を確保できる。さらに、第３リブ３５は、第１リブ３３及び第２リブ３４の長手方向中央の厚さより薄く設定されているので、第３リブ３５による質量の増加を抑制できる。その結果、第３リブ３５によって平板部２０の面中央の強度および剛性を確保しつつ質量の増加を抑制できる。
【００２６】
なお、第１枠部３１、第２枠部３２、第１リブ３３、第２リブ３４及び第３リブ３５は互いに同一の高さに設定されているので、下段のフロアパネル１０の上にリブ３０同士を向い合せてフロアパネル１０を積み重ねたときには、リブ３０の反りによって、上段のフロアパネル１０にガタツキが生じることがある。しかし、第１枠部３１より高く形成された台部３６があるので、リブ３０に反りが設けられていても、台部３６同士を突き合わせることで、積み重ねられた上段のフロアパネル１０にガタツキが生じることを防ぎ、複数枚のフロアパネル１０を安定に積み重ねることができる。
【００２７】
第４リブ４０は、第３リブ３５により４つに区画された第１領域２１に格子状に配置される複数のリブである。本実施の形態では、互いに直交すると共に第１領域２１をそれぞれ四角形状の４つの第２領域２２に区画する主リブ４１と、互いに直交すると共に第２領域２２をそれぞれ四角形状の４つの第３領域２３に区画する副リブ４２とを備えている。よって、主リブ４１及び副リブ４２によって第１領域２１の強度および剛性を確保できる。
【００２８】
なお、主リブ４１は、高さが、第２枠部３２、第１リブ３３、第２リブ３４及び第３リブ３５と同一に設定されているが、厚さが、第１枠部３１、第２枠部３２、第１リブ３３、第２リブ３４及び第３リブ３５より薄く設定されている（図２参照）。よって、強度および剛性を確保しつつ主リブ４１による質量の増加を抑制できる。
【００２９】
ここで、第１リブ３３及び３枚の第４リブ４０により四方が囲まれる最小単位の第１矩形部２４、及び、第２リブ３４及び３枚の第４リブ４０により四方が囲まれる最小単位の第２矩形部２５は、底面視が長方形である。また、４枚の第４リブ４０により四方が囲まれる最小単位の第３矩形部２６は、底面視が正方形である。これにより、リブ３０の配置を単純化できる。
【００３０】
また、第３領域２３は、第１矩形部２４、第２矩形部２５及び第３矩形部２６とそれぞれ同一の領域である。その結果、リブ３０の数が必要以上に増えることを防止できる。よって、リブ３０の数の増加による質量の増加を抑制できる。
【００３１】
また、第１矩形部２４及び第２矩形部２５が長方形、第３矩形部２６が正方形に形成されることにより、第１矩形部２４及び第２矩形部２５は、第３矩形部２６より２辺が長く設定される。その結果、第１枠部３１と第１リブ３３との間隔および第２枠部３２と第２リブ３４との間隔を、第４リブ４０間の間隔より近づけることができる。従って、第１枠部３１、第２枠部３２、第１リブ３３及び第２リブ３４の厚さを必要以上に厚くしなくても、第１枠部３１と第１リブ３３との間隔および第２枠部３２と第２リブ３４との間隔を第４リブ４０間の間隔と同じにする場合と比較して、平板部２０の辺中央の強度および剛性を大きくできる。よって、フロアパネル１０を軽量で高強度かつ高剛性にできる。
【００３２】
第５リブ５０は、第１枠部３１、第２枠部３２、第１リブ３３、第２リブ３４、第３リブ３５及び第４リブ４０（主リブ４１、副リブ４２）より高さが低く設定される複数のリブであり、２枚の第１枠部３１に対して平行に設けられると共に２枚の第２リブ３４を互いに連結する。第５リブ５０は、第３リブ３５の内の一組のリブの間であって平板部２０の中心を通る中心リブ５１と、中心リブ５１及び２枚の第１枠部３１に対して平行に配置されると共に第２矩形部２５及び第３矩形部２６に等間隔に配置される第１平行リブ５２とを備えている。その結果、第５リブ５０によって、第２矩形部２５及び第３矩形部２６が位置する平板部２０の強度および剛性を確保できる。
【００３３】
また、第１平行リブ５２に対して平行に配置される第２平行リブ５３が第１矩形部２４に配置される。第１矩形部２４は、第３矩形部２６より２辺が長く設定されているので、第２平行リブ５３は、第１平行リブ５２間の間隔より広い間隔に第１リブ３３との間隔が設定される。その結果、第２平行リブ５３と第１リブ３３とが共同して、第１矩形部２４の強度および剛性を確保できる。第５リブ５０は、第１枠部３１、第２枠部３２、第１リブ３３、第２リブ３４、第３リブ３５及び第４リブ４０と比較して高さが低く設定されているので、第１矩形部２４、第２矩形部２５及び第３矩形部２６の強度および剛性を確保しつつ第５リブ５０による質量の増加を抑制できる。
【００３４】
なお、第５リブ５０は、第１枠部３１に対して平行に配置されるリブであるが、第１矩形部２４、第２矩形部２５及び第３矩形部２６に、第５リブ５０と直交するリブをさらに設けることは可能である。しかし、そのようなリブをさらに設けることで、そのリブの分だけ質量が増加するという問題がある。それを防ぐため、本実施の形態では、リブ３０は、第１矩形部２４、第２矩形部２５及び第３矩形部２６を区画するリブ３０（第１リブ３３、第２リブ３４、第３リブ３５及び第４リブ４０）の他は第１矩形部２４、第２矩形部２５及び第３矩形部２６に第５リブ５０のみが配置されている。よって、第５リブ５０によって第１矩形部２４、第２矩形部２５及び第３矩形部２６の強度および剛性を確保しつつ質量の増加を抑制できる。
【００３５】
ここで、第４リブ４０は、副リブ４２の高さが、主リブ４１の高さより低く設定されている（図２参照）。副リブ４２は、高さが、第５リブ５０より高く設定されているので、副リブ４２及び第５リブ５０によって第２領域２２の強度および剛性を確保しつつ、副リブ４２による質量の増加を抑制できる。以上説明したように第１実施の形態によれば、フロアパネル１０を軽量で高強度かつ高剛性にできる。
【００３６】
次に図３を参照して第２実施の形態について説明する。第１実施の形態では、第３リブ３５が、互いに平行に配置される一対のリブを一組とする二組のリブが配置されるものであり、その二組のリブが互いに直角に交差して十字状に配置される場合について説明した。これに対し第２実施の形態では、２枚のリブが互いに直交して十字状に配置される第３リブ６１を備えるフロアパネル６０について説明する。なお、第１実施の形態で説明した部分と同一の部分については、同一の符号を付して以下の説明を省略する。図３は第２実施の形態におけるフロアパネル６０の底面図である。
【００３７】
図３に示すようにフロアパネル６０は、アルミニウム合金製やマグネシウム合金製の鋳造製品であり、１辺が４５０〜６００ｍｍ程度の正方形の板状に形成された平板部２０と、その平板部２０の裏面側に一体的に形成された複数のリブ３０とを備えている。リブ３０は、平板部２０の外周に配置される第１枠部３１及び第２枠部３２と、第１枠部３１及び第２枠部３２の内側にそれぞれ配置される第１リブ３３及び第２リブ３４と、第１リブ３３及び第２リブ３４を連結して十字状に配置される第３リブ６１と、第３リブ６１により４つに区画された第１領域２１に配置される第４リブ４０と、第１枠部３１に平行に配置される第５リブ５０とを備えている。
【００３８】
第３リブ６１は、第１リブ３３同士と第２リブ３４同士とを互いに連結して十字状に配置される複数のリブである。第３リブ６１により平板部２０の面中央の最大荷重（破壊荷重）を大きくできる。また、第３リブ６１は、２枚のリブが互いに直交して十字状に配置されるので、互いに平行に配置される一対のリブを一組とする二組のリブを直交させる場合（第１実施の形態）と比較して、２枚のリブを省略できる。リブを省略できる分だけフロアパネル６０の質量を小さくできる。
【００３９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、第１リブ３３、第２リブ３４、第３リブ３５，６１、第４リブ４０及び第５リブ５０の高さや枚数は一例であり、平板部２０の大きさやフロアパネルの要求特性（強度および剛性）に応じて適宜設定できる。
【００４０】
例えば、上記実施の形態では説明を省略したが、平板部２０を厚さ方向に貫通する複数の貫通孔を、リブ３０を避けて平板部２０に設けることは当然可能である。平板部２０に貫通孔を設けることにより、貫通孔を通して空気を流通させることができる。これにより、クリーンルーム内の気流調節や電算機の放熱冷却に適した空調用フロアパネルが得られる。貫通孔の形状としては、円形状や四角形状など適宜設定することが可能である。
【符号の説明】
【００４１】
１０，６０  フロアパネル
２０        平板部
２１        第１領域
２２        第２領域
２３        第３領域
２４        第１矩形部
２５        第２矩形部
２６        第３矩形部
３０        リブ
３１        第１枠部
３２        第２枠部
３３        第１リブ
３４        第２リブ
３５，６１  第３リブ
３６        台部
４０        第４リブ
４１        主リブ
４２        副リブ
５０        第５リブ
５１        中心リブ
５２        第１平行リブ
５３        第２平行リブ
【図１】
2016044508.tif 000003
【図２】
2016044508.tif 000004
【図３】
2016044508.tif 000005